(57)【要約】【課題】ユーザによる少ない操作で使用頻度の高いサービスや他のサービスを実行できるようにすること。【解決手段】本発明は、複数のサービスを備えている画像処理装置において、複数のサービスのうち特定のサービスを登録するサービス登録手段１と、サービス登録手段１に登録された特定のサービスのジョブにおける標準パラメータを登録する標準パラメータ登録手段２と、複数のサービスを選択できるサービス選択モードにおいて、複数のサービスのうちいずれかを選択することなくジョブ開始を受け付けた場合、サービス登録手段１に登録されている特定のサービスのジョブを標準パラメータ登録手段２に登録されている標準パラメータによって開始するジョブ開始制御手段３とを備えている。【選択図】図１
2006270713.tif 000002
【特許請求の範囲】
【請求項１】
複数のサービスを備えている画像処理装置において、
前記複数のサービスのうち特定のサービスを登録するサービス登録手段と、
前記サービス登録手段に登録された特定のサービスのジョブにおける標準パラメータを登録する標準パラメータ登録手段と、
前記複数のサービスを選択できるサービス選択モードにおいて、前記複数のサービスのうちいずれかを選択することなくジョブ開始を受け付けた場合、前記サービス登録手段に登録されている特定のサービスのジョブを前記標準パラメータ登録手段に登録されている標準パラメータによって開始するジョブ開始制御手段と
を備えることを特徴とする画像処理装置。
【請求項２】
前記サービス選択モードにおいて、前記ジョブ開始を受け付けるに先立って行われる数値入力操作により部数のパラメータを設定する処理部数設定手段を備えており、
前記処理部数設定手段で設定された部数を前記ジョブ開始制御手段に渡して前記特定のサービスのジョブを当該部数に対応して実行する
ことを特徴とする請求項１記載の画像処理装置。
【請求項３】
前記サービス選択モードにおいて、前記ジョブ開始を受け付けるに先立って行われる送信先入力操作により送信先のパラメータを設定する送信先設定手段を備えており、
前記送信先設定手段で設定された送信先を前記ジョブ開始制御手段に渡して前記特定のサービスのジョブを当該送信先に対応して実行する
ことを特徴とする請求項１記載の画像処理装置。
【請求項４】
前記サービス選択モードにおいて、前記ジョブ開始を受け付けるに先立って行われる保存先入力操作により保存先のパラメータを設定する保存先設定手段を備えており、
前記保存先設定手段で設定された保存先を前記ジョブ開始制御手段に渡して前記特定のサービスのジョブを当該保存先に対応して実行する
ことを特徴とする請求項１記載の画像処理装置。
【請求項５】
前記サービス選択モードにおいて設定確認操作が行われた場合、前記サービス登録手段に登録されている特定のサービスを対象としたパラメータの設定確認を実行する設定確認制御手段を備えている
ことを特徴とする請求項１記載の画像処理装置。
【請求項６】
複数のサービスを備えている画像処理装置を制御する画像処理プログラムにおいて、
前記複数のサービスのうち特定のサービスを登録するサービス登録ステップと、
前記サービス登録手段に登録された特定のサービスのジョブにおける標準パラメータを登録する標準パラメータ登録ステップと、
前記複数のサービスを選択できるサービス選択モードにおいて、前記複数のサービスのうちいずれかを選択することなくジョブ開始を受け付けた場合、前記サービス登録ステップで登録した特定のサービスのジョブを前記標準パラメータ登録ステップで登録した標準パラメータによって開始するジョブ開始制御ステップと
をコンピュータによって実行することを特徴とする画像処理プログラム。
【発明の詳細な説明】
【技術分野】
【０００１】
本発明は、複数のサービス(例えば、コピー/ファクス/スキャン)を備えた画像処理装置および画像処理プログラムに関する。
【背景技術】
【０００２】
従来の複合機等から成る画像処理装置では、複数のサービスを選択するためのサービス選択モードが初期状態となっており、ユーザはタッチパネル等の表示を参照して所望のサービスのボタンを選択する操作を行っている。このため、特定のサービスの使用頻度が高い場合でも、その都度サービス選択操作を行う必要がある。そこで、特定のサービスモードを初期状態として設定可能としたものがある（例えば、特許文献１参照。）。
【０００３】
ところで、各サービスでは、ジョブを実行するにあたって設定する各種パラメータがあり、サービス選択直後の標準設定が定められている。これは最も使用頻度の高い組み合わせのパラメータ設定であり、すなわちユーザは特にパラメータの設定を変更することなくジョブを開始する操作を行うことが多い。
【０００４】
【特許文献１】特開平１０−９３７４５号公報
【発明の開示】
【発明が解決しようとする課題】
【０００５】
しかし、従来の技術のように、使用頻度の高いモードを初期状態にしておくと、その特定のサービスについてはサービス選択の手間は無いものの、他のサービスを使用する場合には一旦サービス選択モードへ切り替えた後、所望のサービスを選択し直さなければならない。このため、多くの選択操作をユーザに強いることになるという問題がある。
【課題を解決するための手段】
【０００６】
本発明はこのような課題を解決するために成されたものである。すなわち、本発明は、複数のサービスを備えている画像処理装置において、複数のサービスのうち特定のサービスを登録するサービス登録手段と、サービス登録手段に登録された特定のサービスのジョブにおける標準パラメータを登録する標準パラメータ登録手段と、複数のサービスを選択できるサービス選択モードにおいて、複数のサービスのうちいずれかを選択することなくジョブ開始を受け付けた場合、サービス登録手段に登録されている特定のサービスのジョブを標準パラメータ登録手段に登録されている標準パラメータによって開始するジョブ開始制御手段とを備えている。
【０００７】
また、本発明は、複数のサービスを備えている画像処理装置を制御する画像処理プログラムにおいて、複数のサービスのうち特定のサービスを登録するサービス登録ステップと、サービス登録手段に登録された特定のサービスのジョブにおける標準パラメータを登録する標準パラメータ登録ステップと、複数のサービスを選択できるサービス選択モードにおいて、複数のサービスのうちいずれかを選択することなくジョブ開始を受け付けた場合、サービス登録ステップで登録した特定のサービスのジョブを標準パラメータ登録ステップで登録した標準パラメータによって開始するジョブ開始制御ステップとをコンピュータによって実行するものである。
【０００８】
このような本発明では、複数のサービスを選択できるサービス選択モードにおいて、ユーザが特定のサービスを選択しない状態でジョブ開始の指示を行った場合、予めサービス登録手段に登録された特定のサービスが自動的に選択されるとともに、予め標準パラメータ登録手段に登録された標準パラメータによってその特定のサービスのジョブが自動的に開始される。これにより、サービス選択モードから特定のサービスを選択することなくジョブ開始指示のみで特定のサービスを実行できるようになる。
【発明の効果】
【０００９】
したがって、本発明によれば、ユーザの使用頻度が高いサービスおよびそのサービスの標準パラメータを予め登録しておくことで、サービス選択モードから直接特定のサービスを実行できるため、サービス選択モードであっても特定のサービスを選択する手間を省くことが可能となる。
【発明を実施するための最良の形態】
【００１０】
以下、本発明の実施の形態を図に基づき説明する。図１は、本実施形態に係る画像処理装置を説明するブロック図である。すなわち、この画像処理装置は、コピー、ファクシミリ、スキャナー、ジョブテンプレート等の複数のサービスを選択して行うことができるもので、主要構成としてサービス登録手段１、標準パラメータ登録手段２およびジョブ開始制御手段３を備えている。
【００１１】
これらはコンピュータによって実行されるプログラムの各ステップによって実現されている。したがって、本実施形態の画像処理装置としては、複数のサービスを実行する機能が本体に組み込まれた複合機のほか、複数のサービスを行うための各構成がコンピュータと接続され、このコンピュータによって実行されるアプリケーションソフトウェアに組み込まれて実現する形態であっても適用可能である。
【００１２】
なお、以下の説明では、各種サービスを実行する構成が本体に組み込まれた複合機を例とする。画像処理装置のサービス登録手段１は、複数のサービスのうちユーザ（例えば、機械管理者）によって特定されるサービスを不揮発性メモリ等の記憶手段（図示せず）に登録する処理を行う。例えば、この複合機で最も使用頻度の高いサービスを登録しておく。
【００１３】
標準パラメータ登録手段２は、サービス登録手段１によって登録された特定のサービスのジョブにおける標準パラメータを不揮発性メモリ等の記憶手段（図示せず）に登録する処理を行う。標準パラメータとしては、用紙サイズ、用紙向き、部数、カラーモードかモノクロモード、倍率、濃度、画質等の設定である。
【００１４】
ジョブ開始制御手段３は、複数のサービスを選択できるサービス選択モードにおいて、ユーザが所定のサービスを選択することなく開始ボタンＳＢを押下した場合、ジョブ開始を受け付け、予めサービス登録手段１に登録されている特定のサービスのジョブを自動的に選択し、さらに標準パラメータ登録手段２に登録されている標準パラメータをこの特定のサービスのパラメータとして設定し、自動的にそのパラメータによって特定のサービスのジョブを実行する制御を行う。
【００１５】
つまり、複合機のモードが複数のサービスを選択することのできるモード（サービスメニューモード）であった場合、従来ではこのサービスメニューの中から所望のサービスを選択し、その後で開始ボタンを押下すると所望のサービスのジョブが実行される。この場合、ユーザの動作として２回のボタン操作が必要となる。
【００１６】
一方、本実施形態では、複合機のモードがサービスメニューモードであった場合、この状態で開始ボタンＳＢを押下するだけで予め登録されている特定のサービスが標準パラメータで実行される。したがって、ユーザの動作としては１回のボタン操作で済むことになる。
【００１７】
ここで、従来技術のように予め使用頻度の高いサービスのモードを初期状態として設定可能とした場合、そのサービスを選択する場合には１回のボタン操作（開始ボタン押下）で実行できるものの、他のサービスを選択したい場合には、そのモードから一旦サービスメニューモードへ移るためのボタン操作を行ってから、他のサービスを選択し、開始ボタンを押下するといった３回のボタン操作が必要となる。
【００１８】
本実施形態では、初期状態をサービスメニューモードにしておけば、登録されている以外の他のサービスを選択したい場合には、サービスメニューモードから他のサービスを選択し、その後に開始ボタンＳＢを押下するといった２回のボタン操作で済むことになる。
【００１９】
したがって、使用頻度の高いサービスを予め登録しておくことで、そのサービスについては１回のボタン操作でジョブを実行でき、また他のサービスにつては２回のボタン操作でジョブを実行できることになり、ユーザのボタン操作を減らすことが可能となる。
【００２０】
図２は、本実施形態に係る画像処理プログラムを説明するフローチャートである。なお、以下の説明で図２に示されない符号は図１を参照するものとする。先ず、ジョブ開始制御手段３は、ユーザによる開始ボタンＳＢの押下によってジョブ開始指示を受け付けた後、複合機のモードがサービス選択モード（サービスメニューモード）であるか否かを判断する（ステップＳ１）。
【００２１】
サービス選択モードでない場合には非サービスモードか否かを判断する（ステップＳ２）。非サービスモードとは、コピーやファクシミリ、スキャナー等のサービスを行うモード以外のモードである。非サービスモードの場合にはサービスを実行できないとして操作エラー通知を行う（ステップＳ３）。
【００２２】
非サービスモードでない場合には、いずれかのサービスが選択されているとしてそのサービスモードのジョブにユーザの設定したパラメータを適用し（ステップＳ４）、ジョブを実行する。
【００２３】
一方、ステップＳ１の判断でサービス選択モードであった場合、すなわちサービスメニューによって複数のサービスを選択できる状態にある場合、ジョブ開始制御手段３は、サービス登録手段１によって特定のサービスが登録されているか否かを判断する（ステップＳ５）。
【００２４】
特定のサービスが登録されていない場合には操作エラー通知を行う（ステップＳ３）。また、特定のサービスが登録されている場合には、標準パラメータ登録手段２によって登録されている標準パラメータを特定のサービスに対するジョブのパラメータとして適用し（ステップＳ６）、ジョブを実行する。
【００２５】
このような画像処理プログラムにより、複数のサービスを選択できるサービスメニューモードの場合にユーザが開始ボタンＳＢを押下するだけで、予め登録してある特定のサービスを標準パラメータによって実行することができ、ユーザは１回のボタン操作で登録してある特定サービスを実行できるようになる。
【００２６】
図３、図４は、サービスメニューモードでのタッチパネルの表示例を示す模式図である。サービスメニューモードでは、実行可能な複数のサービスがボタン（アイコン）表示されている。また、予め特定のサービスについては対応するサービスのボタン表示が他のボタンと異なる表示になっている。なお、ここでは開始ボタンはタッチパネルではなく、別途設けられている場合を例とするため、図３、図４には示されていない。
【００２７】
図３に示す表示例では、特定のサービスとして「コピー」が登録されている。ユーザは、タッチパネルの表示を参照し、「コピー」の表示が他と異なるため、これが特定サービスとして登録されていることを認識できる。この状態でユーザが開始ボタンを押下すると、予め登録された標準パラメータを適用して、即座に「コピー」が実行される。
【００２８】
また、サービスメニューモードにおいては、登録された特定サービスについて適用するパラメータの調整を直接行うことができる。図３に示す例では、タッチパネル右上欄に「セット  １」という表示がある。これは、パラメータとして印刷部数を調整できることを示しており、例えば、別途設けられたテンキーから所望の部数を入力することで印刷部数を変更できるようになっている。
【００２９】
図４に示す表示例では、特定のサービスとして「ファックス」が登録されている。ユーザは、タッチパネルの表示を参照し、「ファックス」の表示が他と異なるため、これが特定サービスとして登録されていることを認識できる。この状態でユーザが開始ボタンを押下すると、予め登録された標準パラメータを適用して、即座に「ファックス」が実行される。
【００３０】
また、ここでは、タッチパネル右上欄に「宛先」という表示がある。これは、パラメータとして宛先を変更できることを示しており、例えば別途設けられたワンタッチダイヤルキー等を選択することで宛先を変更できるようになっている。
【００３１】
このように、登録されている特定サービス毎に、サービスメニューモードで調整できるパラメータをタッチパネルに表示させ、調整できるようになっている。タッチパネルに表示するパラメータとしては、タッチパネルの大きさに応じて１種類、もしくは２種類以上であってもよい。
【００３２】
図３、図４に示すように、サービスメニューモードでありながら、特定サービスとして登録されたサービスに対する特定のパラメータを調整できるようになっていると、サービスメニューモードの状態で直接パラメータを調整できることになる。
【００３３】
つまり、従来では、サービスメニューモードにおいて所望のサービスに対するパラメータを調整しようとすると、サービスメニューモードから所望のサービスに対するボタンを選択してそのサービスのモードに入り、ここから所望のパラメータ調整を行う必要がある。
【００３４】
本実施形態では、例えば調整頻度の高いパラメータをタッチパネルに表示させ、所定のボタンやキー操作で調整できるようにしておけば、サービスメニューモードの状態で直接パラメータを調整できるため、特定のサービスに対応したモードに入らなくてもパラメータを調整でき、迅速にジョブを実行できるようになる。
【００３５】
また、本実施形態では、サービスメニューモードの状態で、図示しない設定確認ボタンをユーザが選択すると、予め登録されている特定サービスについて、現在設定されているパラメータをタッチパネル等に表示させることができる。この操作についても、サービスメニューモードから特定サービスを選択しなくても、１回のボタン操作でそのサービスについての設定確認を行うことが可能となる。
【図面の簡単な説明】
【００３６】
【図１】本実施形態に係る画像処理装置を説明するブロック図である。
【図２】本実施形態に係る画像処理プログラムを説明するフローチャートである。
【図３】サービスメニューモードでのタッチパネルの表示例を示す模式図（その１）である。
【図４】サービスメニューモードでのタッチパネルの表示例を示す模式図（その２）である。
【符号の説明】
【００３７】
１…サービス登録手段、２…標準パラメータ登録手段、３…ジョブ開始制御手段、ＳＢ…開始ボタン
【図１】
2006270713.tif 000003
【図２】
2006270713.tif 000004
【図３】
2006270713.tif 000005
【図４】
2006270713.tif 000006